(57)【要約】      （修正有）【課題】脊柱部や肩甲間部に直接若しくは間接的に触れた状態を保つようにして、安定して人体を暖める上着を提供する。【解決手段】電熱ヒータ５は、下部が長方形であり、上部が左右に突出したＴ字形状をしている。電熱ヒータ５は、柔軟シートに電熱線が配線され、左右の突出部５ａの夫々に留め具５ｂが備えられており、下部の幅は肺愈のツボを覆う幅である。襟取り付け部４ａは、襟４の内側にカバー生地４ｂを取り付けて形成され、挿入口４ｄが下部の幅を開けて対向しており、かつ内側に留め具５ｂと嵌合する留め具４ｃが設けられている。収納部３ａは、後身頃３の内側であって、電熱ヒータ５の肺愈のツボの下側に相当する位置若しくはそれよりも下側に設けられ、下部が上から差し込まれる。【選択図】図１
2022003180.tif 000002
【特許請求の範囲】
【請求項１】
下部が長方形であり、上部が左右に突出した突出部を有するＴ字形状の柔軟シートに電熱線が配線され、左右の突出部の夫々に留め具が備えられ、前記下部は少なくとも肺愈のツボを覆う幅を有する柔軟な電熱ヒータと、
襟の内側にカバー生地を取り付けて形成され、挿入口が前記下部の幅を開けて対向しており、かつ内側に前記留め具と嵌合する留め具が設けられ、前記突出部を固定する左右一対の襟取り付け部と、
後身頃の内側であって、肺愈のツボの下側に相当する位置若しくはそれよりも下側に設けられ前記下部が上から差し込まれる収納部とを具備することを特徴とする上着。
【請求項２】
請求項１の上着において、前記襟取り付け部の内側に設けられた留め具は、前記カバー生地側に取り付けられていることを特徴とする上着。
【請求項３】
請求項１の上着において、
上着にはバッテリを収容するポケットと、
前記電熱ヒータから延びたコードがバッテリに到る途中に設けられたスイッチボックスと、
上着の裾に近い位置に設けられ、内側に締結部を有する帯布とを具備し、
前記スイッチボックスのスイッチが取り付けられた面側に、前記締結部と結合する締結部が設けられていることを特徴とする上着。
【発明の詳細な説明】
【技術分野】
【０００１】
本発明は、電熱ヒータを内蔵した上着に関するものである。
【背景技術】
【０００２】
電熱ヒータとバッテリを内蔵して、電力により着用者を暖める上着が知られている。このような上着として、例えば特許文献１に示されるような上着が知られている。特許文献１の上着によれば、Ｔ字状をなす電熱ヒータの上部側は襟内部の第１の収納部に収納され、電熱ヒータの下部側は襟部の直ぐ下方側に設けられた第２の収納部に収納されている。Ｔ字状をなす電熱ヒータは、一定の硬さを有して板状に形成されており、外力が加えられる場合にあっても安定した形状に保持されるものである。第１の収納部は、表地と裏地からなる襟部の裏地側の布地の中央下端部に差し込み口を設けて、襟部内部に形成されている。また、第２の収納部は、その上側が第１の収納部の内部に入り込むように襟部の裏地側の下方側に袋状に設けられている。電熱ヒータが第１の収納部と第２の収納部に収納されたときには、隙間を有することなく第１の収納部および第２の収納部に電熱ヒータはその全体が覆われる。
【先行技術文献】
【特許文献】
【０００３】
【特許文献１】登録実用新案第３２０６８４５号公報
【発明の概要】
【発明が解決しようとする課題】
【０００４】
人体において肩甲部には肩甲骨があり、脊柱部や肩甲間部の位置はやや凹んでいる。冬物の上着は一般に厚手であり、後身頃は突出した肩甲部を両端辺として、脊柱部や肩甲間部を跨ぐブリッヂ状になる。特許文献１の発明によれば、電熱ヒータは上着の内部に覆われているため、上着の後身頃の動きに追従せざるを得ず、電熱ヒータは脊柱部や肩甲間部から浮き上がり気味である。また、特許文献１の電熱ヒータは、ある程度の硬さを有することを前提としているため、常に人体に接触している状態を保つことは困難である。また、電熱ヒータが何らかの要因で脊柱部や肩甲間部に突き当たると、背中に異物を感じることになる。
そこで、本発明は、脊柱部や肩甲間部に直接若しくは間接的に常に沿って触れた状態を保つようにして、安定して人体を暖める上着を提供することを目的とする。
【課題を解決するための手段】
【０００５】
上記目的を達成するために、本発明の上着は、下部が長方形であり、上部が左右に突出した突出部を有するＴ字形状の柔軟シートに電熱線が配線され、左右の突出部の夫々に留め具が備えられ、前記下部は少なくとも肺愈のツボを覆う幅を有する柔軟な電熱ヒータと、
襟の内側にカバー生地を取り付けて形成され、挿入口が前記下部の幅を開けて対向しており、かつ内側に前記留め具と嵌合する留め具が設けられ、前記突出部を固定する左右一対の襟取り付け部と、
後身頃の内側であって、肺愈のツボの下側に相当する位置若しくはそれよりも下側に設けられ前記下部が上から差し込まれる収納部とを具備することを特徴とする。
【発明の効果】
【０００６】
この発明によれば、柔軟性のある電熱ヒータを後首部から脊柱部にかけて肩甲骨の間の部位に沿って常に安定して暖めることができる。また、留め具はカバー生地により隠して取り付けてあるため、電熱ヒータを取り付けずに上着を使用する際にも違和感が無い。
【図面の簡単な説明】
【０００７】
【図１】本発明に係る上着を示す図であり、図１Ａは上着を展開した状態の概略図、図１Ｂは一部分解図、図１Ｃは電熱ヒータを取り外した状態を示す図である。
【図２】本発明に係る上着に内蔵される電熱ヒータを示す図であり、図２Ａは平面図、図２Ｂは丸めた状態の図である。
【図３】バッテリーを収容するポケットを説明する図である。
【図４】使用状態を説明する図である。
【発明を実施するための形態】
【０００８】
以下、本発明に係る上着の一実施の形態について、図面を用いて説明する。
図１Ａにおいて、上着１は前身頃２、後身頃３、襟４を有し、前身頃２は前面を開閉できるファスナーが備えられている。上着１の内側において、襟４の中央部分から後身頃３の中央部分にわたる長さの脱着可能な電熱ヒータ５を有している。
【０００９】
図２において、電熱ヒータ５は通電によって発熱するヒータである。電熱ヒータ５は、長方形状の下部５Ｍと、上部５Ｕとが一体的に連続したＴ字形状をしている。下部５Ｍと、上部５Ｕには、図示しない電熱線が配線されている。また、上部５Ｕには、左右で一対となる突出部５ａが形成されている。電熱ヒータ５は、Ｔ字状のフィルム若しくは布の柔軟シートに電熱線を這わせて若しくは織り込むなどして作成されており、柔軟性を有する。上部５Ｕの突出部５ａには、留め具５ｂが備えられている。電熱ヒータ５の下部５Ｍにはバッテリー８に接続されるためのコード５ｃが接続されている。コード５ｃは、バッテリー８とのプラグ１０に到る途中にスイッチボックス９が設けられている。電熱ヒータ５の上部５Ｕの幅は、襟４の幅よりも狭い。電熱ヒータ５の下部５Ｍの幅は、少なくとも大椎のツボを含む脊柱部を覆う幅である。本実施例においては、肩甲骨の間にある左右の風門のツボ、若しくは肺愈のツボを覆う幅を少なくとも有しており、肩甲骨に到る手前の位置に下部５Ｍの長辺を有している。電熱ヒータ５は柔軟であるため、折り畳まれた状態で、若しくは図２Ｂに示したように丸めた状態で、上着１とは別に保管若しくは携帯することが可能である。なお、風門のツボは、七頸椎棘突起から下に向かい、２つ目と３つ目の背骨の出っ張りの間から一寸５分（約４．５ｃｍ）ほど左右に外側の位置で有り、肺愈のツボは、第七頸椎棘突起から下に向かい、３つ目と４つ目の背骨の出っ張りの間から一寸５分（約４．５ｃｍ）ほど左右に外側の位置である。風門、肺愈のツボとも、肩甲骨の間に存在する。
【００１０】
図１に戻り襟４の内側の左右には、電熱ヒータ５の突出部５ａを固定する一対の襟取り付け部４ａが形成されている。襟取り付け部４ａは襟４の内側の左右にカバー生地４ｂを取り付け、それぞれ中央から左右に端部に向けた挿入口４ｄを有する袋状に形成されている。一対の襟取り付け部４ａは、夫々の挿入口４ｄを中央に向けて、下部５Ｍの幅に相当する間隔が開けて対向している。左右の襟取り付け部の挿入口４ｄは、上部５Ｕの突出部５ａを覆う位置に配置されている。図１Ｂは上着１の一部分解図である。挿入口４ｄの内側がよく見えるように、襟４の図面左側の襟取り付け部４ａからカバー生地４ｂを一部引き剥がして描かれている。挿入口４ｄの内側であって、カバー生地４ｂには電熱ヒータ５の留め具５ｂに雌雄の関係で対応する留め具４ｃを備えている。本実施例においては、留め具５ｂとして「ソケット」、留め具４ｃとして「ゲンコ」を具備するスナップボタンを用いる。他の留め具５ｂとして、面ファスナーを用いてもよい。電熱ヒータ５の上部５Ｕは、襟取り付け部４ａに挿入された以外の箇所においては、襟４の内側において、むき出しになった状態である。収納部３ａにより収容されていない上部５Ｕは、人体の後頸部を覆う。
【００１１】
後身頃３の内側には、電熱ヒータ５の下部５Ｍの一部を収納する収納部３ａが形成されている。収納部３ａは後身頃３に生地を取り付けて、上方に挿入口を有する袋状に形成されている。収納部３ａの周縁の縫い付け部分の一部を縫わずに開口部３ｂ（側辺側）、開口部３ｃ（底辺側）を設け、電熱ヒータ５のコード５ｃの通し口を形成している。
【００１２】
電熱ヒータ５を装着する際には、電熱ヒータ５の突出部５ａの留め具５ｂを襟取り付け部４ａの留め具４ｃに合わせて留め、電熱ヒータ５の襟部分を固定し、電熱ヒータ５の下部５Ｍを上から収納部３ａに差し込んで収納する。図においては、開口部３ｂからコード５ｃを引き出している。下部５Ｍは、収納部３ａの中では上着１に固定されていない。電熱ヒータ５が固定されるのは、上部５Ｕの範囲であって、具体的には、襟取り付け部４ａである。よって、電熱ヒータ５の下部５Ｍは、上に引き上げれば、抵抗なく収納部３ａから引き出せる状態である。言い換えると、上下方向において上着１に追従した動きから開放されている。
【００１３】
収納部３ａの縦方向の長さは、下部５Ｍが抜け出ない程度に必要な長さである。収納部３ａの収容口の位置は、風門のツボに相当する位置よりも下であり、肺愈のツボに相当する位置よりも下である。具体的には肩甲骨の下部に係る高さ位置若しくは肩甲骨の下側、若しくは電熱ヒータ５の下部５Ｍの長さの半分より襟４の下に設けられている。従って、収納部３ａにより収容されていない下部５Ｍの面積は、収納部３ａに収容された下部５Ｍの面積よりも大きな面積になって、風門のツボや肺愈のツボを少なくとも覆う。具体的には、肩甲骨の間の部位を覆うのが望ましい。尚、収納部３ａは、メッシュにより形成し、できるだけ下部５Ｍと人体との間を近づけるようにしている。
【００１４】
前身頃２の内側には、バッテリーを収納するポケット６と、電熱ヒータ５のコード５ｃを固定する固定部材７が設けられている。固定部材７はテープ状で、長さ途中に設けられたホック７ａ、７ｂを互いに嵌合して環状にすることができる。環状にした固定部材７により、電熱ヒータ５のコード５ｃを掛けて固定する。
【００１５】
図１Ｃは、電熱ヒータ５を取り外した状態の上着１を示している。留め具４ｃは、襟４の表面には現れておらず、カバー生地４ｂにより隠されている。このため、電熱ヒータ５を取り付けずに使用する際にも違和感が無い。また、少なくともカバー生地４ｂを介して、留め具４ｃが後頸部に当たるため、カバー生地４ｂがクッションになって、首を傷付けることはない。なお、カバー生地４ｂを襟４と同じ生地にしておけば、襟取り付け部４ａを隠蔽する効果はより発揮される。カバー生地４ｂに留め具４ｃを取り付けたのは、留め具４ｃがスナップボタンの場合に「ゲンコ」の凸状が首の方に向くのを避けるためである。首に違和感を生じさせない留め具４ｃであれば、襟４側に留め具４ｃを設けても良い。
【００１６】
ポケット６の構造については、図３を用いて説明する。図３Ａ、図３Ｃはバッテリー８を収容したときの様子を示し、図３Ｂ、図３Ｄは収容していないときの様子を示している。ポケット６は、前身頃２にポケット布６ａを縫い付けて構成されている。蓋布６ｂはバッテリー８の脱落を防止するためにポケット６の入り口を塞ぐものであり、ボタン６ｅによりポケット布６ａに着脱自在に止めることができる。ポケット布６ａの上には、両端がポケット布６ａに縫い付けられた帯布６ｃが設けられている。帯布６ｃとポケット布６ａの間であって、帯布６ｃ側に締結部（実施例では面ファスナーを利用した）６ｄが取り付けられている（図３Ｅ参照）。
【００１７】
帯布６ｃとポケット布６ａの間に、スイッチボックス９を差し込む。スイッチボックス９には、スイッチボックス９のスイッチ９ａが設けられた面側に締結部（実施例では締結部６ｄと結合する面ファスナーを利用した）９ｂが設けられている。締結部９ｂと締結部６ｄとを結合し、スイッチボックス９のスイッチ９ａを帯布６ｃの下から覗かせる。プラグ１０をコードホール６ｆからポケット６に差し込む。そして、バッテリー８をポケット６内に収容しプラグ１０を接続して蓋布６ｂで塞ぐことにより、バッテリー８の装着を完了する。スイッチ９ａを操作することにより、バッテリー８を装着したままで、電熱ヒータ５の通電をすることができる。尚、実施例では、帯布６ｃはポケット布６ａに取り付けたが、前身頃２若しくは後身頃３に取り付けても良く、上着１の内側であればどこでも良く、裾に近い位置であることが望ましい。スイッチ９ａに容易に手が届くからである。
【００１８】
図４は、上着１に電熱ヒータ５を装着して、その使用状態を説明する図である。電熱ヒータ５が固定されるのは上部５Ｕの範囲であり、電熱ヒータ５は柔軟な素材により作成されているので、下部５Ｍは、収納部３ａに収容された範囲を除き、襟４から垂れ下がり下端がほぼ自由に動ける取り付け状態になっており、上着１に対して言わば浮いた状態である。この状態において、襟の無い服を上着１の内側に着用すれば、上部５Ｕは直接的に後頸部に当接する。また、人体の後首部は、脊柱部よりも前側に位置しているので、襟４から垂れ下がった下部５Ｍの範囲は、まず大椎のツボに相当する位置に当接する。そして、肩甲骨Ｋの間に入り込み、脊柱部に沿って背中に安定して当接する。下部５Ｍの幅が肩甲骨Ｋの間の部位を覆うものなので、風門のツボ、肺愈のツボに相当する位置に当接する。上着１の内側に着用すると想定されている服は、コンプレッションシャツや加圧シャツ系統の密着性の高い服であるので、人体との当接は、通常の衣服より直接的である。
【００１９】
本実施例によれば、柔軟性のある電熱ヒータを後首部から脊柱部にかけた肩甲骨の間の部位を安定して暖めることができる。また、留め具４ｃはカバー生地４ｂにより隠して取り付けてあるため、電熱ヒータ５を取り付けずに上着１を使用する際にも違和感が無い。本実施例においては、収納部３ａの収容口の位置は肺愈のツボに相当する位置よりも下に設けたが、心愈のツボに相当する位置よりも下或いは、さらに下側に設けても良い。心愈のツボは、第七頸椎棘突起から下に向かい５つ目と６つ目の背骨の出っ張りの間から一寸５分（約４．５ｃｍ）ほど左右に外側の位置にあり、肩甲骨の下側の間の位置に相当する。肩甲骨の間に、電熱ヒータ５が襟４から垂れ下がり気味になればよいのである。また、収納部３ａは、電熱ヒータ５を使用しない場合には、カイロポケットとして使用することもできる。
【符号の説明】
【００２０】
１     上着
２     前身頃
３     後身頃
３ａ     収納部
３ｂ、３ｃ     開口部
４     襟
４ａ     襟取り付け部
４ｂ     カバー生地
４ｃ     留め具
４ｄ     挿入口
５     電熱ヒータ
５Ｍ     下部
５Ｕ     上部
５ａ     突出部
５ｂ     留め具
５ｃ     コード
６     ポケット
６ａ     ポケット布
６ｂ     蓋布
６ｃ     帯布
６ｄ     締結部
６ｅ     ボタン
７     固定部材
７ａ、７ｂ     ホック
８     バッテリー
９     スイッチボックス
９ａ     スイッチ
９ｂ     締結部
１０     プラグ
【図１】
2022003180.tif 000003
【図２】
2022003180.tif 000004
【図３】
2022003180.tif 000005
【図４】
2022003180.tif 000006
【手続補正書】
【提出日】令和2年11月9日(2020.11.9)
【手続補正１】
【補正対象書類名】特許請求の範囲
【補正対象項目名】請求項１
【補正方法】変更
【補正の内容】
【請求項１】
上着において、
下部が長方形であり、上部が左右に突出した突出部を有するＴ字形状の柔軟シートに電熱線が配線され、左右の突出部の夫々に留め具が備えられ、前記下部は少なくとも肺愈のツボを覆う幅を有する柔軟な素材により作成された電熱ヒータと、
襟の内側にカバー生地を取り付けて形成され、挿入口が前記下部の幅を開けて対向しており、かつ内側に前記留め具と嵌合する留め具が設けられ、前記突出部を固定する左右一対の襟取り付け部と、
後身頃の内側であって、肺愈のツボの下側に相当する位置若しくはそれよりも下側に設けられ前記下部が上から差し込まれる収納部とを具備し、
前記下部は、前記収納部に収容された範囲を除き、襟から垂れ下がり下端が前記上着に対して浮いた状態であることを特徴とする上着。
【手続補正２】
【補正対象書類名】明細書
【補正対象項目名】０００５
【補正方法】変更
【補正の内容】
【０００５】
上記目的を達成するために、本発明の上着は、下部が長方形であり、上部が左右に突出した突出部を有するＴ字形状の柔軟シートに電熱線が配線され、左右の突出部の夫々に留め具が備えられ、前記下部は少なくとも肺愈のツボを覆う幅を有する柔軟な素材により作成された電熱ヒータと、
襟の内側にカバー生地を取り付けて形成され、挿入口が前記下部の幅を開けて対向しており、かつ内側に前記留め具と嵌合する留め具が設けられ、前記突出部を固定する左右一対の襟取り付け部と、
後身頃の内側であって、肺愈のツボの下側に相当する位置若しくはそれよりも下側に設けられ前記下部が上から差し込まれる収納部とを具備し、
前記下部は、前記収納部に収容された範囲を除き、襟から垂れ下がり下端が前記上着に対して浮いた状態であることを特徴とする。